(57)【要約】      （修正有）【課題】浴室床の周縁部における段差部を介して設けられた下壁載置部と上壁載置部にそれぞれ載置された二枚の壁パネルのうちの一つの壁パネルを、浴室床に簡単に取り付けることのできる固定構造を提供する。【解決手段】浴室床２の下壁載置部と、下壁載置部と段差部を介して設けられる上壁載置部を備え、下壁載置部に載置された背長壁パネル２２と、上壁載置部に載置された背短壁パネルは、連結材で接続されており、背長壁パネル２２は固定具２８によって浴室床２に固定され、固定具２８は、床引掛部７１、左右一対の壁嵌合部７２および突起部７３を備えおり、床引掛部７１で浴室床２と連結され、壁嵌合部７２に背長壁パネル２２の折返し部３１が嵌合され、突起部７３は上壁載置部に設けられた壁載せ部材１０の下端と浴室床２の隙間に差し込まれている。【選択図】図７
2020070544.tif 000002
【特許請求の範囲】
【請求項１】
浴室床に設けられる下壁載置部と、下壁載置部と段差部を介して設けられる上壁載置部を備え、段差部に隣接して下壁載置部に載置される壁パネルの固定構造において、下壁載置部の壁パネル端部近傍に固定具を設け、固定具は、床引掛部と壁嵌合部を備えて、床引掛部で浴室床と連結され、壁嵌合部で壁パネルと連結されていることを特徴とする壁パネルの固定構造。
【請求項２】
請求項１に記載の壁パネルの固定構造において、固定具は壁パネルの横幅方向に延びる突起部を備えており、突起部は上壁載置部が設けられた壁載せ部材の下端と浴室床の隙間に挿入されることを特徴とする壁パネルの固定構造。
【請求項３】
請求項１または２に記載の壁パネルの固定構造において、固定具は左右一対の壁嵌合部と突起部を備えていることを特徴とする壁パネルの固定構造。
【発明の詳細な説明】
【技術分野】
【０００１】
本発明は、壁パネルの固定構造に関し、例えば、浴室の壁パネルを固定するものである。
【背景技術】
【０００２】
従来、連結材の突起を壁パネルおよび柱材に形成された長溝内に挿入して、直線状に隣接する２枚の壁パネルを連結する構成はすでに知られている（特許文献１参照）。
【０００３】
ところで、浴槽における防水パンの周縁部に段差部を備えた構造が知られているが、この段差部において接続される２枚の壁パネルのうち、一つの壁パネルは、その下端は床パンの床の高さまであるが、他の壁パネルは、その下端は床パンの床の高さまでなく、段差部の上位の高さまでしかない。
【０００４】
このような段差部を備えた構造として、浴槽における防水パンの周縁部に段差部が形成されており、この段差部に沿って立設される壁パネルを、段差部に臨んで立設された支柱の直下において床パンにビスでネジ止めされた段差金具で支持する構成が知られている（特許文献１参照）。
【０００５】
また、洗い場側から段差状に浴槽側立壁が立ち上げ形成されてなる床パンを備えたユニットバスにおいて、洗い場側に建付けられる壁パネルの浴槽側端縁の下部は、浴槽側立壁に固設したクリップ金具に係止固定される構成が知られている（特許文献２参照）。
【先行技術文献】
【特許文献】
【０００６】
【特許文献１】特開平１０−２４５９１５号公報
【特許文献２】特開２００２−２７６０５２号公報
【発明の概要】
【発明が解決しようとする課題】
【０００７】
上記のとおり、防水パンの周縁部に段差部において連結材によって接続される２枚の壁パネルは、下端部が床パン等に固定されていないと、浴室側に動いたりして不安定である。
【０００８】
上記従来例（特許文献１、２）では、段差部の下方に固定して設けられた金具によって支持する構成を採用しているが、金具はビス、ネジにより固定された構成であるので、孔を設ける必要があり、止水性の観点から望ましくない。
【０００９】
本発明は、従来例の上記のような問題を解決することを目的とするものであり、浴室床周縁部に設置される壁パネルと段差部を介して浴槽側に設置される壁パネルを、連結材によって接続して設置する場合、接続する二枚の壁パネルのうちの一つの壁パネルを、浴室床に簡単に取り付けることのできる簡単な固定構造を実現することを課題とする。
【課題を解決するための手段】
【００１０】
本発明は上記課題を解決するために、浴室床に設けられる下壁載置部と、下壁載置部と段差部を介して設けられる上壁載置部を備え、段差部に隣接して下壁載置部に載置される壁パネルの固定構造において、下壁載置部の壁パネル端部近傍に固定具を設け、固定具は、床引掛部と壁嵌合部を備えて、床引掛部で浴室床と連結され、壁嵌合部で壁パネルと連結されていることを特徴とする壁パネルの固定構造を提供する。
【００１１】
固定具は壁パネルの横幅方向に延びる突起部を備えており、突起部は上壁載置部が設けられた壁載せ部材の下端と浴室床の隙間に挿入されることが好ましい。
【００１２】
請求項１または２に記載の壁パネルの固定構造において、固定具は左右一対の壁嵌合部と突起部を備えていることが好ましい。
【発明の効果】
【００１３】
本発明によると、浴室床の周囲の下壁載置部と、浴槽側の周囲の壁パネルを載置する上壁載置部が段差部を介して配置され、下壁載置部に載置された洗い場側の壁パネルと上壁載置部に載置された浴槽側の壁パネルが互いに連結材で接続されている浴室ユニットにおいて、洗い場側の壁パネルを浴室床に、固定具で簡単に固定して確実に位置決めできるので、接続された壁パネルが浴室側にズレることなく、洗い場側および浴槽側の壁パネルの下端をパッキンによってシールするシーリング作業において位置決めがし易くなり、パッキンによる水密効果も向上する。
【図面の簡単な説明】
【００１４】
【図１】本発明の実施例を説明する図であり、（ａ）は本発明の適用される浴室ユニットを外側から見た斜視図であり、（ｂ）は浴室床の一部構造を説明する斜視図であり、（ｃ）は（ａ）におけるＣで示す部分の詳細斜視図である。
【図２】上記浴室ユニットの洗い場側に配置された浴室床と、上記浴室ユニットの浴槽側に配置された壁載せ部材を説明する図であり、（ａ）は平面図であり、（ｂ）は、浴室の外側から見た図である。
【図３】本発明の実施例における接続される二枚の壁パネルおよびその接続構造を説明する図であり、（ａ）、（ｂ）は、接続される二枚の壁パネルの構成を示し、（ａ）は背面図であり、（ｂ）は接続される側端部の平面図であり、（ｃ）は二枚の壁パネルが連結材で接続された構造を示す平面図である。
【図４】上記実施例において、二枚の壁パネルを連結する連結材を説明する図であり、突起部付き連結材について、（ａ）は正面側から見た図と平面図であり、（ｂ）は背面側から見た図であり、溝部付き連結材について、（ｃ）は正面側から見た図と平面図であり、（ｄ）は背面側から見た図である。
【図５】上記実施例において、（ａ）、（ｂ）は、二枚の壁パネルを連結する連結材を位置決めピースで浴室床に固定または連結し位置決めした状態を示す斜視図であり、（ｃ）は位置決めピースの垂直断面図である。
【図６】本発明に係る壁パネルの固定構造の実施例における固定具を説明する図であり、（ａ）、（ｂ）、（ｃ）はそれぞれ平面図、正面図、底面図である。
【図７】本発明に係る壁パネルの固定構造の実施例における固定具を説明する図であり、（ａ）、（ｂ）は、それぞれ側面図、斜視図であり、（ｃ）は固定具により背長壁パネルを浴室床に固定して位置決めした状態を示す断面図である。
【図８】上記実施例において、（ａ）は固定具を浴室床に引っ掛けて装着した状態を示し、（ｂ）は固定具によって壁パネルを固定して位置決めした状態を示す斜視図である。
【発明を実施するための形態】
【００１５】
本発明に係る壁パネルの固定構造を実施するための形態を実施例に基づき図面を参照して、以下説明する。
【００１６】
なお、本明細書では、壁パネルおよび連結材等について、浴室内側を正面側とも言い、浴室外側を背面側とも言う。また、本明細書における左右については、図面中の左右ではなく、浴室内側から見て（浴室内側（正面側）から浴室外側を見て）左右側を言うが、左右を明確にするために必要に応じて、本明細書中でも、「浴室内側から見て」などと記載をする。
【実施例】
【００１７】
（浴室ユニットの全体構成）
図１（ａ）は、浴室ユニット１の手前側の壁を一部破断して外側から見た図であるが、この浴室ユニット１は、洗い場側には浴室床２（床パン）が設置されており、浴槽１３側には浴室床２は設置されていない構造をしている。
【００１８】
浴室床２は、図１（ａ）、図２（ａ）に示すように、矩形の床部３と、床部３の周囲の周縁部４と、を備えている。周縁部４は、図１（ｂ）、図２（ａ）に示すように、後記する背長壁パネル２２を載置する下壁載置部５と、下壁載置部５から上方に立ち上がった立設部６を備えている。
【００１９】
浴槽側には、壁載せ部材１０が設けられている。壁載せ部材１０は、図１（ａ）、（ｃ）、図２（ａ）、（ｂ）に示すように、壁載せフレーム１１とエプロン１２を備えている。平面的には、壁載せフレーム１１の内側に浴槽１３が配置され、エプロン１２は、浴槽１３の洗い場側に設置されている。
【００２０】
壁載せフレーム１１は、全体形状は、図２（ａ）に示すように、平面視でコの字型の形状をしており、浴室床２より高い位置で水平に配置され、支持フレーム１６等で下方から支持されている。壁載せフレーム１１の断面を図１（ｃ）に投影的に示すが、その上面には後記する背短壁パネル２３を載置する載置部１７が形成されている。
【００２１】
エプロン１２は、その下端は浴室床２に載置されている。図１（ａ）、（ｃ）、図２（ａ）、（ｂ）に示すように、壁載せフレーム１１のコの字型の端部（両端部）は、エプロン１２の両端に当接している。壁載せフレーム１１とエプロン１２が当接している部分（図１（ａ）のＣで矢視する部分）の詳細の構造は、図１（ｃ）に示す。
【００２２】
図１（ｃ）に示すように、エプロン１２の端部の一部にも背短壁パネル２３を載置する載置部１８を有し、後記するが、壁載せフレーム１１に載置する背短壁パネル２３は、壁載せフレーム１１の載置部１７とエプロン１２の載置部１８に載置される。壁載せフレーム１１の載置部１７とエプロン１２の載置部１８とから成る部分は、上記下壁載置部５より上方に位置しているので、本明細書では上壁載置部２１と言う。
【００２３】
この浴室ユニット１においては、洗い場側の浴室床２の周囲は、浴室床２まで延び下壁載置部５に載置される壁パネルが立設され、浴槽側の周囲は、浴室床２まで延びていない上壁載置部２１に載置される壁パネルが立設されている。
【００２４】
浴室床２まで延びる壁パネルと浴室床２まで延びていない壁パネルは、上下方向の長さを較べると、前者は長く後者は短いので、本明細書では、「背長壁パネル」と言い、後者は「背短壁パネル」という。
【００２５】
本発明に係る壁パネルの固定構造は、背長壁パネル２２および背短壁パネル２３を固定するものであるが、浴室床２に設けられる下壁載置部５と、浴槽側に設けられる上壁載置部２１を備えている。そして、下壁載置部５と上壁載置部２１は、段差部２６を介して設けられている。エプロン１２は、その一部である載置部１８が上壁載置部２１として機能しているが、段差部２６をも構成する部材でもある。
【００２６】
背長壁パネル２２と背短壁パネル２３は、互いに隣接して直線的に配置されており、互いに隣接する側端部において、連結材２７により接続されており、さらに、後記するが背長壁パネル２２は、固定具２８によって浴室床２に固定され位置決めされている。
【００２７】
（二枚壁パネルの接続構造）
本発明は、連結材で接続された背丈の異なる二つの壁パネルの固定構造に係る発明であるが、まず、背長壁パネル２２と背短壁パネル２３の連結材２７による接続構造について、図３および図４を参照して説明する。
【００２８】
図３（ａ）、（ｂ）は、連結材２７で接続される背長壁パネル２２と背短壁パネル２３が、互いに連結される側端部が対面するように、隣接して一直線上に並べた状態を、浴室外側から見た図である。
【００２９】
背長壁パネル２２と背短壁パネル２３は、図３（ｂ）に示すように、それぞれその隣接する側端部において、浴室外側に折り曲げられた折り返し部３１が形成されている。折り返し部３１は、平面視で略ムの字型に形成されており、その先端側に、浴室内側斜め方向に折り返された折り返し当接部３２が形成されている。
【００３０】
連結材２７は、突起部付き連結材３５と溝部付き連結材４５とから成る。突起部付き連結材３５は、図３（ｃ）、図４（ａ）、（ｂ）に示すように、背短壁パネル２３と当接する壁当接部３６と、溝部付き連結材４５と連結材同士が接続される連結材接続部３７を備えている。
【００３１】
壁当接部３６は、背短壁パネル２３の折り返し当接部３２に当接する折り返し壁３８を備えている。折り返し壁３８は、壁当接部３６の先端が背面側斜め方向に折り返されて形成されている。
【００３２】
突起部３９は、図３（ｃ）、図４（ａ）、（ｂ）に示すように、小径部４０と大径部４１から成り、小径部４０が連結材接続部３７に固定されて、大径部４１が連結材接続部３７の背面側に位置するように設けられている。
【００３３】
溝部付き連結材４５は、図３（ｃ）、図４（ｃ）、（ｄ）に示すように、壁パネル１と当接する壁当接部４６と、突起部付き連結材３５と連結材同士が接続される連結材接続部４７を備えている。
【００３４】
壁当接部４６は、背長壁パネル２２の折り返し当接部３２に当接する折り返し壁４８を備えている。折り返し壁４８は、壁当接部４６から背面斜め方向に折り返されて形成されている。
【００３５】
この溝部付き連結材４５の連結材接続部４７の端部には、浴室内側方向に折り返す連結材位置決め部４９が設けられている。溝部５０は、連結材接続部４７に設けられ、上下方向に延び、かつ浴室の内外方向へ貫通して形成されており、図４（ｃ）、（ｄ）に示すように、略円形の突起部挿入部５１と、突起部挿入部５１から斜め下方に延びる細溝部５２を備えている。     
【００３６】
突起部挿入部５１は、突起部３９の大径部４１より若干大きく形成されており、突起部３９の大径部４１が挿通可能である。細溝部５２は、突起部３９の大径部４１より細幅であって、突起部３９の小径部４０より太幅に形成されており、突起部３９の大径部４１は細溝部５２から抜け出ず、突起部３９の小径部４０は、細溝部５２に沿って移動可能なように挿通される。
【００３７】
背長壁パネル２２と背短壁パネル２３を接続する場合は、背長壁パネル２２を浴室床２の下壁載置部５上に配置する。
【００３８】
そして、突起部付き連結材３５を、溝部付き連結材４５の内側に沿うように入れて、突起部３９が突起部挿入部５１内に浴室の外側方面に向けて挿入して配置する。さらに、溝部付き連結材４５のその折り返し壁４８を背長壁パネル２２の折返し当接部３２に当接した状態で嵌合して配置する。
【００３９】
その後、背短壁パネル２３を配置し、突起部付き連結材３５を下降させる。すると、図３（ｃ）に示すように、背長壁パネル２２と背短壁パネル２３は、互いに寄せ合うように移動し、背長壁パネル２２および背短壁パネル２３の折返し当接部３２は、それぞれ溝部付き連結材４５および突起部付き連結材３５の折り返し壁４８と当接した状態で接続される。
【００４０】
（位置決めピース）
以上のとおり連結材２７で接続した背長壁パネル２２および背短壁パネル２３は、それぞれその下端は、浴室床２の下壁載置部５および上壁載置部２１に載置されるが、載置後、背長壁パネル２２および背短壁パネル２３と、浴室床２の間にパッキンを施すシーリング作業が行われる。
【００４１】
しかしながら、背長壁パネル２２および背短壁パネル２３は、それぞれ下壁載置部５および上壁載置部２１に載置しただけでは、下壁載置部５および上壁載置部２１に浴室側への力が作用すると、浴室内側へズレしまう可能性がある。
【００４２】
そのようなズレが生じると、パッキンを施すシーリング作業に際して、背長壁パネル２２および背短壁パネル２３を、下壁載置部５および上壁載置部２１に対して位置決めをすることができず、仮にパッキンを施したとしても、下壁載置部５および上壁載置部２１が浴室内側へズレた状態では、十分な水密効果が得られないばかりか、壁の取付強度も不安定となるという支障が生じる。
【００４３】
ところで、互いに接続する二つの壁パネルの両方が背長壁パネルであり、共に下壁載置部５に載置される場合、即ち、背長壁パネル２２と背長壁パネル２２’が、共に下壁載置部５に載置される構造の場合でも、浴室内側へのズレは生じる。
【００４４】
しかし、二つの壁パネルが共に背長壁パネルであれば、図５（ａ）、（ｂ）に示すように、位置決めピース６５によって、略浴室床２まで延びる連結材２７の下端部を、浴室床２に固定することで、二つの背長壁パネル２２、２２’が浴室内側にズレることを防止し、ズレによる上記のような支障が生じないようにすることができる。
【００４５】
この位置決めピース６５は、図５（ａ）〜（ｃ）に示すように、連結材２７を背面および左右から把持する把持部６６と、浴室床２の立設部６に引っ掛けて固定するフック部６７と、連結材２７が浴室側にズレることを防止する上方に起立した起立片６８と、を備えている。
【００４６】
位置決めピース６５は、そのフック部６７で浴室床２の立設部６に引っ掛けて取付け、その把持部６６によって、浴室床２の下壁載置部５に載置された背長壁パネル２２と背長壁パネル２２’を連結する連結材２７を背面および左右から把持するとともに、その起立片６８を連結材２７の内側に浴室側から当接させる。
【００４７】
このようにすることで、背長壁パネル２２と背長壁パネル２２’の場合は、両者を浴室床２に係止させて固定または連結することが可能となる。これによって、背長壁パネル２２と背長壁パネル２２’に浴室側への力が作用しても、浴室側へのズレを防止することができる。
【００４８】
（背長壁パネルの浴室床への固定構造）
しかしながら、前記のとおり、図１（ａ）、図２（ｂ）に示すような互いに連結材２７で連結された背長壁パネル２２のおよび背短壁パネル２３の場合は、背長壁パネル２２は、その下端は下壁載置部５に載置されているが、浴室床２に固定または連結（以下、単に固定という）しないと、浴室側への力を受けると、連結材２７で接続された背短壁パネル２３とともに、浴室側に移動してズレてしまう可能性がある。
【００４９】
このようなことが生じないように、本発明では、下壁載置部５上に載置された背長壁パネル２２における段差部２６側の端部近傍に、固定具２８を設け、背長壁パネル２２を浴室床２に固定し、背短壁パネル２３とともに位置決めする壁パネルの固定構造を採用した。
【００５０】
固定具２８は、図６および図７に示すように、本体部７０と、床引掛部７１と、左右一対の壁嵌合部７２と、左右の一対の突起部７３と、を一体で備えている。固定具２８は、床引掛部７１によって浴室床２と連結され、壁嵌合部７２によって背長壁パネル２２と連結される。
【００５１】
本体部７０は、上部が平面視で略日字型であり、下部が側面視で略口字型に形成されている。床引掛部７１は、本体部７０の背部から背面側に突出し、さらに下方に略Ｌ字型に延びた形状をしている。
【００５２】
固定具２８には、本体部７０の正面側において、その左右端から左右側の把持部７４が浴室内側に突出するように形成されており、また、その左右方向中央から略ヨの字型の中央把持部７５が浴室内側に突出するように形成されている。
【００５３】
中央把持部７５の左側および右側には、それぞれ左方および右方に膨らんだ（凸状に屈曲した）膨出部７６が形成されている。左側の壁嵌合部７２は、左側の把持部７４と中央把持部７５の左側の膨出部７６から成り、右側の壁嵌合部７２は、右側の把持部７４と中央把持部７５の右側の膨出部７６から成る。
【００５４】
左右の突起部７３は、背長壁パネル２２の横幅方向に延びるように、本体部７０から左右に突出するように形成されており、後記するが、固定具２８によって背長壁パネル２２を浴室床２の立設部６に引っ掛けて固定した際に、上壁載置部２１が設けられた壁載せ部材１０の下端（具体的には、エプロン１２の端部の下端）と浴室床２の隙間に差し込まれる（図７（ｃ）、図８（ｂ）参照）。       
【００５５】
（作用）
本発明に係る壁パネルの固定構造を組み立てる手順を説明する。背長壁パネル２２および背短壁パネル２３は、それぞれ浴室床２の下壁載置部５および上壁載置部２１に載置され、前記のとおり連結材２７で接続されるものとする。
【００５６】
背長壁パネル２２と背短壁パネル２３を接続する連結材２７の上下方向の長さは、背短壁パネル２３と略同じであり下壁載置部５までは延びていない。このような連結材２７の下端部を、前記した位置決めピース６５によって、壁載せ部材１０（ここでは、具体的には壁載せフレーム１１の一部とエプロン１２の端部）に係止させることができる。
【００５７】
このように位置決めピース６５によって、連結材２７の下端部を壁載せ部材１０に係止させても、背長壁パネル２２は浴室床２には固定されていないので、シーリング作業のための位置決めは十分にできない。そこで、背長壁パネル２２を固定具２８で浴室床２に固定或いは連結するには、まず、図８（ａ）に示すように、固定具２８の床引掛部７１を浴室床２の立設部６に引っ掛けて装着する。
【００５８】
そして、固定具２８をスライドさせて、図７（ｃ）、図８（ｂ）に示すように、固定具２８の浴室内側から見て左側の突起部７３を、壁載せ部材１０（ここでは具体的には、エプロン１２の端部）の下端と浴室床２の立設部６との隙間に差し込む。
【００５９】
その後、図７（ｃ）、図８（ｂ）に示すように、固定具２８の浴室内側から見て左側の壁嵌合部７２に、背長壁パネル２２の浴室内側から見て左側の折返し部３１を嵌合させるようにして、背長壁パネル２２を下壁載置部５に載置する。
【００６０】
この嵌合状態では、折返し部３１の折り返し当接部３２は、浴室内側から見て左側の壁嵌合部７２の中央把持部７５の浴室内側から見て左側の膨出部７６と係合し、背長壁パネル２２の折返し部３１は、固定具２８に対して抜け止めされる。
【００６１】
このように、浴室床２に装着した固定具２８の壁嵌合部７２に背長壁パネル２２を嵌合させると、背長壁パネル２２に浴室側への力が作用しても、背長壁パネル２２の折返し部が固定具２８の壁嵌合部７２に嵌合し、固定具２８の床引掛部７１が浴室床２の立設部６に引っ掛かかっており、しかも固定具２８の左側の突起部７３が壁載せ部材１０の下端と浴室床２の立設部６の隙間に差し込まれているので、背長壁パネル２２および背短壁パネル２３の浴室側への移動は拘束される。
【００６２】
その結果、背長壁パネル２２および背短壁パネル２３は、それぞれ浴室床２の下壁載置部５および上壁載置部２１に載置され、固定具２８によって浴室床２に固定されることで、浴室側への移動は拘束されて位置決めされるので、その後のパッキンを施すシーリング作業がし易くなり、しかもパッキンは、背長壁パネル２２と下壁載置部５の間、および背短壁パネル２３と上壁載置部２１の間に確実に施されるので、水密効果も向上する。
【００６３】
以上は、図１（ａ）、図２（ｂ）に示すように、浴室内側から見て、右側に配置された背長壁パネル２２と左側に配置された背短壁パネル２３を、連結材２７で接続し、背長壁パネル２２の下端を浴室床２に固定具２８で固定する固定構造を説明したが、それとは逆に、図示はしないが、浴室内側から見て、左側に配置された背長壁パネル２２と右側に配置された背短壁パネル２３を、連結材２７で接続し、背長壁パネル２２の下端を浴室床２に固定具２８で固定する固定構造も基本的は同じである。
【００６４】
しかし、浴室内側から見て左側に配置された背長壁パネル２２を浴室床２に固定具２８で固定する固定構造では、固定具２８の右側の壁嵌合部７２に背長壁パネル２２の右側の折返し部３１を嵌合させるとともに、固定具２８の右側の突起部７３を、壁載せ部材１０（ここでは具体的には、エプロンの端部）の下端と浴室床２の立設部６の隙間に差し込んで、壁載せ部材１０の下端と浴室床２の立設部６にそれぞれ当接させる。
【００６５】
このように本発明の固定具２８は、浴室内側から見て左右に壁嵌合部７２および突起部７３が形成された左右共用な構成であるので、上記のように、浴室床２に、浴室内側から見て、右側に配置された背長壁パネル２２を固定する場合も、左側に配置された背長壁パネル２２を固定する場合にも、共に使用可能である。
【００６６】
以上、本発明に係る壁パネルの固定構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６７】
本発明に係る壁パネルの固定構造は上記のような構成であるから、浴室の壁パネル、その他の段差部を有する壁の取付部の固定構造にも適用可能である。
【符号の説明】
【００６８】
１  浴室ユニット
２  浴室床
３  浴室床の床部                     
４  浴室床の周縁部                   
５  浴室床の下壁載置部               
６  浴室床の立設部                   
１０  壁載せ部材                     
１１  壁載せフレーム                 
１２  エプロン                       
１３  浴槽                           
１６  支持フレーム                   
１７  壁載せフレームの載置部         
１８  エプロンの載置部               
２１  上壁載置部                 
２２、２２’  背長壁パネル                   
２３  背短壁パネル                   
２６  段差部                         
２７  連結材                         
２８  固定具                         
３１  背長壁パネル及び背短壁パネルの折り返し部                     
３２  背長壁パネル及び背短壁パネルの折り返し当接部                 
３５  突起部付き連結材               
３６  突起部付き連結材の壁当接部                 
３７  突起部付き連結材の連結材接続部                   
３８  突起部付き連結材の折り返し壁                     
３９  突起部付き連結材の突起部       
４０  突起部の小径部                         
４１  突起部の大径部                         
４５  溝部付き連結材                 
４６  溝部付き連結材の壁当接部                       
４７  溝部付き連結材の連結材接続部                   
４８  溝部付き連結材の折り返し壁                     
４９  溝部付き連結材の連結材位置決め部               
５０  溝部付き連結材の溝部                           
５１  溝部の突起部挿入部                   
５２  細溝部                         
６５  位置決めピース
６６  把持部                
６７  フック部                          
６８  起立片                         
７０  本体部                         
７１  床引掛部                       
７２  壁嵌合部                       
７３  突起部                         
７４  左右側の把持部                 
７５  中央把持部                     
７６  膨出部                         
【図１】
2020070544.tif 000003
【図２】
2020070544.tif 000004
【図３】
2020070544.tif 000005
【図４】
2020070544.tif 000006
【図５】
2020070544.tif 000007
【図６】
2020070544.tif 000008
【図７】
2020070544.tif 000009
【図８】
2020070544.tif 000010